(57)【特許請求の範囲】
【請求項１】
携帯端末を介して、可視聴者から、大画面のディスプレイへコンテンツ表示するためのリクエストを受信するリクエスト受信手段と；
所定の振る舞いを上記可視聴者に指示する振る舞い指示情報であって、しかも上記リクエスト受信手段が受信したリクエストに対応する振る舞い指示情報であって、上記携帯端末の画面に表示する振る舞い指定情報を、上記携帯端末に送信する振る舞い指示情報送信手段と；
上記可視聴者による振る舞いを撮影する振る舞い撮影手段と；
上記振る舞い撮影手段が撮影した映像を解析する映像解析手段と；
上記映像解析手段が解析した振る舞いと、上記振る舞い指示情報が示す振る舞いとを比較する振る舞い比較手段と；
上記振る舞い比較手段が比較した結果に対応するコンテンツを、上記大画面のディスプレイに表示させるディスプレイ制御手段と；
を有することを特徴とする情報出力システム。
【請求項２】
請求項１において、
上記映像解析手段は、上記振る舞い撮影手段が撮影した映像に基づいて、被写体である人物の位置を解析する手段であり、
上記ディスプレイ制御手段は、上記映像解析手段が解析した人物の位置に応じて、コンテンツをディスプレイに表示させる手段であることを特徴とする情報出力システム。
【請求項３】
請求項１において、
上記映像解析手段は、上記振る舞い撮影手段が撮影した映像に基づいて、被写体である人物の特定の領域への進入、上記特定領域からの退出、上記特定領域での滞留時間、上記人物の移動時の速度、上記人物の移動時の加速度、上記人物の姿勢のうちの少なくとも１つを解析する手段であり、
上記ディスプレイ制御手段は、上記解析結果に基づいて、コンテンツを上記ディスプレイに表示させる手段であることを特徴とする情報出力システム。
【請求項４】
請求項１において、
上記映像解析手段は、上記振る舞い撮影手段が撮影した映像に基づいて、リクエストした可視聴者の人数を解析する手段であり、
上記ディスプレイ制御手段は、上記映像解析手段が解析した人数が１人であれば、コンテンツを大画面に表示し、上記映像解析手段が解析した人数が複数人であれば、コンテンツを当該可視聴者の前の画面にのみ表示する手段であることを特徴とする情報出力システム。
【請求項５】
請求項１において、
上記大画面のディスプレイに表示されたバーコードを上記携帯端末が撮影することにより得られるバーコードの情報を利用して、上記コンテンツ表示のリクエストがなされることを特徴とする情報出力システム。
【請求項６】
携帯端末を介して、可視聴者から、大画面のディスプレイへコンテンツ表示するためのリクエストを受信するリクエスト受信工程と；
所定の振る舞いを上記可視聴者に指示する振る舞い指示情報であって、しかも上記リクエスト受信工程で受信したリクエストに対応する振る舞い指示情報であって、上記携帯端末の画面に表示する振る舞い指定情報を、上記携帯端末に送信する振る舞い指示情報送信工程と；
上記可視聴者による振る舞いを撮影する振る舞い撮影工程と；
上記振る舞い撮影工程で撮影した映像を解析する映像解析工程と；
上記映像解析工程で解析した振る舞いと、上記振る舞い指示情報が示す振る舞いとを比較する振る舞い比較工程と；
上記振る舞い比較工程で比較した結果に対応するコンテンツを、上記大画面のディスプレイに表示させるディスプレイ制御工程と；
を有することを特徴とする情報出力システムの制御方法。
【請求項７】
請求項１ないし請求項５のいずれか１項に記載の情報出力システムを構成する各手段としてコンピュータを機能させるためのプログラム。
【発明の詳細な説明】
【技術分野】
【０００１】
本発明は、情報出力システムに係り、特に、広告や案内等を目的とするコンテンツを大画面に出力し、コンテンツを視聴可能な領域に存在している人物の動作に応じて、コンテンツの画面出力を動的に変化させる情報出力システムに関する。
【背景技術】
【０００２】
従来、駅構内やビルの入口等の公共空間に設けられているプラズマディスプレイやプロジェクタ等の大画面の表示装置を介して、広告や案内等のコンテンツを出力し、コンテンツを視聴可能な領域にいる人物（以下、「可視聴者」という）の動作に応じてコンテンツの出力を動的に変化させる装置が存在している。
【０００３】
図１０は、従来の情報出力システムにおけるディスプレイ９０を示す図である。
【０００４】
従来例のディスプレイ９０は、コンテンツを示すウィンドウ９１〜９５を、大画面に表示する。そして、
（１）可視聴者Ｕ３がウィンドウ９１の前を通ると、ウィンドウ９１のサイズを拡大し、
（２）可視聴者Ｕ３がウィンドウ９３の前で立ち止まると、コンテンツの詳細情報をウィンドウ９３に表示し、
（３）可視聴者Ｕ３がウィンドウ９５の前で長時間滞留し、または、ウィンドウ９５に指を差すと、地図やクーポン情報等のコンテンツに関する有用な情報を、ウィンドウ９５に表示する。
【０００５】
図１１は、従来の情報出力システムにおける別のディスプレイ９０ａを示す図である。
【０００６】
別のディスプレイ９０ａは、大画面に地図を表示するディスプレイであり、
（１）可視聴者Ｕ４が地図上の決められた位置の前に立ち止まると、対応する位置に関する情報を、ポップアップ表示し、
（２）可視聴者Ｕ４がウィンドウ９７に近づくと、詳細情報をウィンドウ９７に表示する。
【０００７】
上記従来例を実現する場合、たとえば、映像または静止画等のマルチメディア情報を提示している複数の画面に囲まれている空間内部で、利用者が映像または音楽を視聴するマルチメディア情報空間に情報を入出力し、上記マルチメディア情報空間に存在している複数の利用者の状態を検出し、この検出された複数の利用者の状態を指示命令に変換し、この変換された指示命令を処理し、この変換された指示命令に応じて、上記マルチメディア情報空間に出力すべきマルチメディア情報を更新し、この更新されたマルチメディア情報を、上記マルチメディア情報空間に出力する装置が知られている（たとえば、特許文献１参照）。
【特許文献１】特開２００１−２１６５２７号公報
【発明の開示】
【発明が解決しようとする課題】
【０００８】
しかし、上記従来例では、リクエストした可視聴者が、ディスプレイの前に存在していることを確認することができないという問題がある。つまり、上記従来例には、リクエストした可視聴者が画面の前にいないときにでも、コンテンツを表示し、コンテンツ表示が無駄であるという問題がある。
【０００９】
また、上記従来例では、リクエストした可視聴者がディスプレイの前にいるとき以外にも、可視聴者がリクエストしたコンテンツを表示してしまうという問題がある。
【００１０】
本発明は、リクエストした可視聴者が、ディスプレイの前に存在していることを確認するができる情報出力システム、情報出力方法およびプログラムを提供することを目的とするものである。
【００１１】
また、本発明は、リクエストした可視聴者がディスプレイの前にいるときにだけ、可視聴者がリクエストしたコンテンツを表示することができる情報出力システム、情報出力方法およびプログラムを提供することを目的とするものである。
【００１２】
さらに、本発明は、リクエストした可視聴者がディスプレイの前にいるときにだけ、可視聴者がリクエストしたコンテンツを、適切な場所に表示することができる情報出力システム、情報出力方法およびプログラムを提供することを目的とするものである。
【００１３】
そして、本発明は、リクエストした可視聴者が１人であれば、大画面に表示し、リクエストした可視聴者が複数人であれば、当該可視聴者の前の画面にのみ表示することができる情報出力システム、情報出力方法およびプログラムを提供することを目的とするものである。
【課題を解決するための手段】
【００１４】
本発明は、携帯端末を介して、可視聴者から、大画面のディスプレイへコンテンツ表示するためのリクエストを受信するリクエスト受信手段と、所定の振る舞いを上記可視聴者に指示する振る舞い指示情報であって、しかも上記リクエスト受信手段が受信したリクエストに対応する振る舞い指示情報であって、上記携帯端末の画面に表示する振る舞い指定情報を、上記携帯端末に送信する振る舞い指示情報送信手段と、上記可視聴者による振る舞いを撮影する振る舞い撮影手段と、上記振る舞い撮影手段が撮影した映像を解析する映像解析手段と、上記映像解析手段が解析した振る舞いと、上記振る舞い指示情報が示す振る舞いとを比較する振る舞い比較手段と、上記振る舞い比較手段が比較した結果に対応するコンテンツを、上記大画面のディスプレイに表示させるディスプレイ制御手段とを有することを特徴とする情報出力システムである。
【発明の効果】
【００１６】
請求項１、８記載の発明によればリクエストした可視聴者が、ディスプレイの前に存在していることを確認するができるという効果を奏する。
【００１７】
請求項２、９、１０記載の発明によれば、リクエストした可視聴者がディスプレイの前にいるときにだけ、可視聴者がリクエストしたコンテンツを表示することができるという効果を奏する。
【発明を実施するための最良の形態】
【００１８】
発明を実施するための最良の形態は、以下の実施例である。
【実施例１】
【００１９】
図１は、本発明の実施例１である情報出力システム１００の構成を示すブロック図である。
【００２０】
情報出力システム１００は、携帯端末Ｔ１と、コンテンツ制御装置２０と、携帯端末受付装置３０と、コンテンツ配信装置４０と、カメラ５１、５２と、ディスプレイ６０とを有する。
【００２１】
また、情報出力システム１００において、複数のコンテンツ制御装置２０と、複数の携帯端末受付装置３０と、複数のコンテンツ配信装置４０とが設けられているが、理解を容易にするために、以下の説明では、情報出力システム１００が、１つのコンテンツ制御装置２０と、１つの携帯端末受付装置３０と、１つのコンテンツ配信装置４０とを備えている場合について説明する。
【００２２】
携帯端末Ｔ１は、可視聴者による、コンテンツ表示のリクエストをコンテンツ制御装置２０に送信する。
【００２３】
コンテンツ制御装置２０は、コンピュータ装置によって構成され、カメラ５１、５２が接続されている。なお、情報出力システム１００において、コンテンツ制御装置２０に、少なくとも１台のカメラが接続されていれば足りる。
【００２４】
また、コンテンツ制御装置２０は、大画面のディスプレイ６０に接続され、コンテンツ配信装置４０が配信したコンテンツを、ディスプレイ６０に画面出力する。なお、大画面のディスプレイ６０は、液晶ディスプレイ、プラズマディスプレイ、またはプロジェクタ等である。
【００２５】
図２は、コンテンツ制御装置２０の構成例とともに、携帯端末受付装置３０とコンテンツ配信装置４０とカメラ５１とディスプレイ６０とを示すブロック図である。
【００２６】
コンテンツ制御装置２０は、映像解析部２１と、判別部２２と、スクリプト記憶部２３と、スクリプト実行部２４と、コンテンツ記憶部２５と、コンテンツ出力部２６と、携帯端末受付部２７とを有する。
【００２７】
映像解析部２１は、カメラ５１が撮影した映像を解析することによって、可視聴者の位置を特定し、この特定された位置に存在している可視聴者の映像から得た解析結果を、判別部２２に出力する。
【００２８】
具体的には、カメラ５１の撮影領域に可視聴者がいない状態で撮影された静止映像（静止画像）と、カメラ５１が撮影している映像とを、映像解析部２１が入力し、両者映像の差分である差分映像を演算し、この演算された差分映像に基づいて、可視聴者の位置を特定する。
【００２９】
また、映像解析部２１は、上記差分映像に基づいて、可視聴者の移動時における速度、加速度と、可視聴者の姿勢とを解析する。
【００３０】
つまり、映像解析部２１は、振る舞い撮影手段が撮影した映像に基づいて、被写体である人物の特定の領域への進入、上記特定領域からの退出、上記特定領域での滞留時間、上記人物の移動時の速度、上記人物の移動時の加速度、上記人物の姿勢のうちの少なくとも１つを解析する手段の例である。また、映像解析部２１は、振る舞い撮影手段が撮影した映像に基づいて、被写体である人物の位置を解析する手段の例であり、また、振る舞い撮影手段が撮影した映像を解析する映像解析手段の例である。
【００３１】
判別部２２は、映像解析部２１が出力した解析結果と、コンテンツ出力部２６が出力した映像情報（可視聴者が指を差している等、予め設定されているアクション）と比較し、一致性を判別する。または、可視聴者が、たとえば４×５の領域中のどの領域に存在しているかを判別する。
【００３２】
スクリプト記憶部２３は、コンテンツをディスプレイ６０に出力する制御命令を記述するスクリプトを記憶している。
【００３３】
スクリプト実行部２４は、現在上映中のコンテンツに対応するスクリプトであって、スクリプト記憶部２３から取得したスクリプトを取得し、この取得したスクリプトを実行する。
【００３４】
ここで、上記「スクリプト」は、ディスプレイ６０上にコンテンツを表示するウィンドウの移動や、ウィンドウのサイズの変更、コンテンツの切り替え等の命令である。
【００３５】
つまり、スクリプト実行部２４は、判別部２２が、たとえば、所定の領域に可視聴者が進入したことを判断すると、ディスプレイ６０上の位置であって可視聴者が視聴し易い位置に、ウィンドウを表示し、この表示したウィンドウ上にコンテンツを表示させるスクリプトを、スクリプト記憶部２３から取得し、実行する。
【００３６】
また、スクリプト実行部２４は、携帯端末受信部２７から、コンテンツ表示リクエストを受信すると、可視聴者に行わせるべき振る舞いを示す振る舞い指示情報を、携帯端末受信部２７に送り、携帯端末受信部２７が送信した振る舞い指示情報が示す振る舞いと同じ振る舞いを、可視聴者が実行したと判別部２２が判別すると、リクエストされたコンテンツに切り替えるスクリプトを、スクリプト記憶部２３から取得し、実行する。
【００３７】
上記「振る舞い」は、たとえば、ディスプレイ６０に近づくこと、ディスプレイ６０から遠ざかる動作、同じ場所に滞留する動作、ディスプレイ６０を指差す動作等である。また、上記「振る舞い」は、可視聴者が特定の領域（たとえば、図４において各ウィンドウ６１〜６５の前）に進入、退出するアクションや、予め定められた時間を越えて滞留しているアクションや、予め定められた速度以上または未満の速度で移動するアクションや、予め定められた加速度以上または未満の加速度で移動するアクションや、または、ディスプレイ６０を指差すアクションである。
【００３８】
コンテンツ記憶部２５は、コンテンツ配信装置４０が配信したコンテンツを記憶する。
【００３９】
コンテンツ出力部２６は、スクリプト実行部２４が実行したスクリプトに基づくコンテンツを、コンテンツ記憶部２５から取り出し、この取り出されたコンテンツをディスプレイ６０に出力する。また、コンテンツ出力部２６は、携帯端末受付装置３０にアクセスするためのＵＲＬや、バーコード等、読み取り可能な画像であるアクセス表示画像を表示する。この「アクセス表示画像」は、携帯端末Ｔ１が携帯端末受付装置３０にアクセスするためのＵＲＬ等のアドレス情報表示画像である。
【００４０】
携帯端末受付部２７は、携帯端末受付装置３０を介して、可視聴者の携帯端末Ｔ１から、コンテンツ表示リクエストを受け取り、この受け取ったコンテンツ表示リクエストを、スクリプト実行部２４へ送信する。そして、スクリプト実行部２４から、可視聴者に行わせるべき振る舞いを示す振る舞い指示情報を受信し、携帯端末受付装置３０へ送信する。
【００４１】
なお、映像解析部２１と、判別部２２と、スクリプト実行部２４と、コンテンツ出力部２６とは、コンテンツ制御装置２０を構成するコンピュータ装置が有するＣＰＵによって構成されている。
【００４２】
また、情報出力システム１００において、コンテンツ記憶部２５が、コンテンツ配信装置４０の機能を実現するようにしてもよい。携帯端末受付部２７が、携帯端末受付装置３０の機能を実現するようにしてもよい。
【００４３】
次に、携帯端末受付装置３０について説明する。
【００４４】
図３は、携帯端末受付装置３０の構成を示すブロック図である。
【００４５】
携帯端末受付装置３０は、携帯端末Ｔ１からのアクセスを受け付ける装置である。携帯端末受付装置３０は、所定のコンテンツ情報を記憶する記憶媒体を有するコンピュータ装置によって構成され、インターネット網や無線通信網を介して、携帯端末Ｔ１と通信することができる。
【００４６】
携帯端末受付装置３０は、アクセス要求受信部３１と、コンテンツ選択部３２と、コンテンツ情報記憶部３３と、振る舞い指示情報送信部３４とを有する。
【００４７】
コンテンツ出力部２６が表示しているアドレス情報が示す送信先が、携帯端末受付装置３０のアドレスであり、携帯端末Ｔ１を介して、可視聴者からのアクセス要求を、アクセス要求受信部３１が受信する。
【００４８】
コンテンツ選択部３２は、コンテンツ情報記憶部３３に記憶されているメニューを取り出し、この取り出されたメニューから可視聴者がコンテンツを選択し、この選択されたコンテンツをコンテンツ制御装置２０に送信する。また、コンテンツ選択部３２は、可視聴者が行うべき振る舞いを指示する振る舞い指示情報を受信する。
【００４９】
振る舞い指示情報送信部３４は、コンテンツ選択部３２が受信した振る舞いを指示する振る舞い指示情報を、アクセス要求した携帯端末Ｔ１に送信する。
【００５０】
なお、アクセス要求受信部３１、コンテンツ選択部３２、振る舞い指示情報送信部３４は、コンピュータ装置が有するＣＰＵによって構成されている。
【００５１】
コンテンツ配信装置４０は、コンピュータ装置によって構成され、ネットワーク等の伝送路を介して、広告や案内等を目的とするコンテンツを、コンテンツ制御装置２０に配信する。なお、上記コンピュータ装置は、複数のコンテンツを記憶している記憶媒体を具備する。
【００５２】
次に、情報出力システム１００におけるディスプレイ６０が出力する動作について説明する。
【００５３】
図４は、情報出力システム１００におけるディスプレイ６０が出力する動作についての説明図である。
【００５４】
まず、可視聴者Ｕ１がディスプレイ６０の前に来て、表示されているウィンドウ６１〜６５（コンテンツ）を見たが、どれも、可視聴者Ｕ１の興味がないものであるので、興味のあるウィンドウ（コンテンツ）をディスプレイ６０に表示させる例について説明する。
【００５５】
可視聴者Ｕ１が携帯端末Ｔ１を所有している場合、ＵＲＬ６９（またはバーコード）を画像読取器で読み取るか、または、ＵＲＬ６９を手で入力することによって、携帯端末受付装置３０にアクセスする。
【００５６】
図５は、実施例１において、携帯端末Ｔ１が、携帯端末受付装置３０にアクセスした場合に、携帯端末Ｔ１が表示する画面の例を示す図である。
【００５７】
まず、コンテンツのジャンルを示す画面ＳＣ１が表示され、画面ＳＣ１において映画を選ぶと、画面ＳＣ２が表示され、音楽を選ぶと、画面ＳＣ３が表示される。
【００５８】
画面ＳＣ２において、映画Ａを選ぶと、コンテンツ制御装置２０の携帯端末受付部２７は、携帯端末受付装置３０に定期的にポーリングする。または、携帯端末受付装置３０からのリクエストを受信する。これによって、映画Ａの表示リクエストがあったことを、携帯端末受付装置３０が受け付ける。
【００５９】
そして、スクリプト実行部２４に、映画Ａの表示リクエストを送信し、可視聴者Ｕ１に実行させる振る舞い指示情報を受け取る。この場合における振る舞い指示情報は、「ディスプレイ６０を指差す」であるとする。この振る舞い指示情報を、携帯端末受付装置３０に送信する。これによって、「ディスプレイ６０を指差して下さい」という指示画面ＳＣ４（振る舞い指示情報）が、携帯端末Ｔ１に表示される。
【００６０】
可視聴者Ｕ１がこの指示画面ＳＣ４の指示に従って、ディスプレイ６０を指差すると、カメラ５１が可視聴者Ｕ１を撮影し、この撮影した画像（動作）を映像解析部２１が解析し、可視聴者Ｕ１がディスプレイ６０を指差している旨を、判別部２２が判別する。つまり、映像解析部２１が解析した解析結果と、予め設定されている映像とを判別部２２が比較し、一致していいれば、一致信号を出力する。比較部２２が一致信号を出力すると、スクリプト記憶部２３に記憶されているスクリプトを、スクリプト実行部２４が取得し、この取得されたスクリプトを実行する。
【００６１】
スクリプト実行部２４が実行したスクリプトに基づいて、コンテンツ記憶部２５に記憶されているコンテンツを、コンテンツ出力部２６が、ディスプレイ６０に出力し、ディスプレイ６０は、可視聴者Ｕ１の目の前に、映画Ａのコンテンツを表示する。
【００６２】
ここで、他に可視聴者がいなければ、映画Ａのコンテンツを、ディスプレイ６０の全体に表示するようにしてもよい。また、他に可視聴者がいれば、当該可視聴者Ｕ１の目の前の領域にだけ表示するようにしてもよい。
【００６３】
次に、情報出力システム１００におけるコンテンツ表示リクエスト動作について説明する。
【００６４】
図６は、情報出力システム１００において、コンテンツ表示リクエスト動作を示すシーケンス図である。
【００６５】
まず、ディスプレイ６０に表示されている画像（バーコード等の読み取り可能な画像）を、携帯端末Ｔ１に設けられている画像読取器が読み取るか、または、ＵＲＬ６９を手入力すると（Ｓ１）、携帯端末Ｔ１にアドレス情報が読み込まれ、この読み込まれたアドレス情報を送信先とするアクセス要求を、携帯端末Ｔ１が送信する（Ｓ２）。
【００６６】
携帯端末Ｔ１が送信したアクセス要求を、携帯端末受付装置３０のアクセス要求受信部３１が受信し（Ｓ３）、コンテンツ情報記憶部３３に記憶されている内容に基づいて、コンテンツ選択メニューを生成し、この生成されたメニューを、コンテンツ選択部３２が携帯端末Ｔ１に送信する（Ｓ４）。
【００６７】
携帯端末Ｔ１は、メニューを受信し（Ｓ５）、可視聴者Ｕ１がリクエストすることを望むコンテンツ名を選択する（Ｓ６）。
【００６８】
携帯端末受付装置３０は、選択されたコンテンツ名を受信し（Ｓ７）、この受信したコンテンツ名を、コンテンツ制御装置２０へ送信する（Ｓ８）。
【００６９】
コンテンツ制御装置２０は、携帯端末Ｔ１が選択したコンテンツ名を受信し（Ｓ９）、可視聴者Ｕ１に実行させるべき振る舞いを示す振る舞い指示情報を送信する（Ｓ９）。
【００７０】
携帯端末受付装置３０は、コンテンツ制御装置２０から、振る舞い指示情報を受信し（Ｓ１１）、携帯端末Ｔ１へ送信する（Ｓ１２）。
【００７１】
携帯端末Ｔ１は、携帯端末受付装置３０から、上記振る舞い指示情報を受信し（Ｓ１３）、この受信した振る舞い指示情報が示す振る舞いを、携帯端末Ｔ１のディスプレイに表示する（Ｓ１４）。
【００７２】
情報出力システム１００によれば、携帯端末Ｔ１を介して、可視聴者Ｕ１から、コンテンツ表示のリクエストを受け取り、これに対して、所定の振る舞いを示す振る舞い指示情報を、携帯端末受付装置３０を介して、携帯端末Ｔ１に送信し、可視聴者Ｕ１がその振る舞いを実行し、この振る舞いを検出することによって、ディスプレイ６０の前に可視聴者Ｕ１が実際に存在していることが保証される。
【００７３】
また、情報出力システム１００によれば、ディスプレイ６０の前に複数の可視聴者Ｕ１が存在している場合、コンテンツ表示をリクエストした可視聴者Ｕ１を確実に認識することができ、したがって、コンテンツ表示のリクエストに対応するコンテンツを、適切な位置に表示することができる。
【００７４】
なお、実施例１において、コンテンツ名を使用する代わりに、コンテンツを指定する他の情報を使用するようにしてもよい。
【００７５】
つまり、実施例１は、携帯端末を介して、可視聴者から、コンテンツ表示のリクエストを受信するリクエスト受信手段と、上記リクエスト受信手段が受信したリクエストに対応する情報であって、所定の振る舞いを上記可視聴者に指示する振る舞い指示情報を、上記携帯端末に送信する振る舞い指示情報送信手段と、上記可視聴者による振る舞いを撮影する振る舞い撮影手段と、上記振る舞い撮影手段が撮影した映像を解析する映像解析手段と、上記映像解析手段が解析した振る舞いと、上記振る舞い指示情報が示す振る舞いとを比較する振る舞い比較手段とを有する可視聴者検出装置の例である。
【００７６】
これによって、リクエストした可視聴者が、ディスプレイの前に存在していることを確認することができる。
【００７７】
また、実施例１は、携帯端末を介して、可視聴者から、コンテンツ表示のリクエストを受信するリクエスト受信手段と、上記リクエスト受信手段が受信したリクエストに対応する情報であって、所定の振る舞いを上記可視聴者に指示する振る舞い指示情報を、上記携帯端末に送信する振る舞い指示情報送信手段と、上記可視聴者による振る舞いを撮影する振る舞い撮影手段と、上記振る舞い撮影手段が撮影した映像を解析する映像解析手段と、上記映像解析手段が解析した振る舞いと、上記振る舞い指示情報が示す振る舞いとを比較する振る舞い比較手段と、上記振る舞い比較手段が比較した結果に対応するコンテンツを、ディスプレイに表示させるディスプレイ制御手段とを有する情報出力システムの例である。
【００７８】
これによって、リクエストした可視聴者がディスプレイの前にいるときにだけ、可視聴者がリクエストしたコンテンツを表示することができる。
【００７９】
この場合、上記映像解析手段は、上記振る舞い撮影手段が撮影した映像に基づいて、被写体である人物の位置を解析する手段であり、上記ディスプレイ制御手段は、上記映像解析手段が解析した人物の位置に応じて、コンテンツをディスプレイに表示させる手段である。
【００８０】
また、上記映像解析手段は、上記振る舞い撮影手段が撮影した映像に基づいて、被写体である人物の特定の領域への進入、上記特定領域からの退出、上記特定領域での滞留時間、上記人物の移動時の速度、上記人物の移動時の加速度、上記人物の姿勢のうちの少なくとも１つを解析する手段であり、上記ディスプレイ制御手段は、上記解析結果に基づいて、コンテンツを上記ディスプレイに表示させる手段である。
【００８１】
また、上記映像解析手段は、上記振る舞い撮影手段が撮影した映像に基づいて、リクエストした可視聴者の人数を解析する手段であり、上記ディスプレイ制御手段は、上記映像解析手段が解析した人数が１人であれば、コンテンツを大画面に表示し、上記映像解析手段が解析した人数が複数人であれば、コンテンツを当該可視聴者の前の画面にのみ表示する手段である。
【実施例２】
【００８２】
図７は、本発明の実施例２である情報出力システム２００の構成を示すブロック図である。
【００８３】
情報出力システム２００は、基本的には、実施例１における情報出力装置１００の構成要素と同一の構成であり、判別部２２の代わりに、判別部２２ａが設けられ、コンテンツ出力部２６の代わりに、コンテンツ出力部２６ａが設けられ、また、バーコード生成部２８ａが付加されている。なお、情報出力システム２００において、情報出力装置１００の構成要素と同一の構成要素には、同一の符号を付し、その説明を省略する。
【００８４】
情報出力システム２００は、バーコード生成部２８ａを備えている。このバーコード生成部２８ａは、バーコード生成時刻と、ディスプレイ６０中でコンテンツを出力する位置である出力場所とを示すパラメータと、ＵＲＬとを示すバーコードを生成する。なお、上記バーコードの代わりに、他の読み取り可能な画像を使用するようにしてもよい。
【００８５】
図８は、実施例２である情報出力システム２００におけるディスプレイ６０に出力する動作を説明する図である。
【００８６】
なお、情報出力システム２００において、図８に示すように、各表示コンテンツのそれぞれに、互いに異なるバーコード７１ｂ〜７５ｂが付加されている。実施例１のディスプレイ６０においてバーコード（携帯端末Ｔ１が読み取り可能な画像）が１つしか表示されていないことに代えて、実施例２では、表示されているコンテンツ毎に、バーコード７１ｂ〜７５ｂ（携帯端末Ｔ１が読み取り可能な画像）が付加されている。
【００８７】
次に、情報出力システム２００が関連情報を配信する動作について説明する。
【００８８】
図９は、情報出力システム２００が関連情報を配信する動作を示すシーケンス図である。
【００８９】
まず、携帯端末Ｔ１が、バーコードを読み込む（Ｓ１５）。このバーコードには、携帯端末受付装置３０のＵＲＬと、上記バーコードが生成された時刻とコンテンツを出力する場所である出力場所と示すパラメータとが含まれている。そして、上記ＵＲＬとパラメータとに基づいて、携帯端末受付装置３０にアクセス要求を送信する（Ｓ１６）。
【００９０】
携帯端末Ｔ１が送信したアクセス要求を、携帯端末受付装置３０のアクセス要求受信部３１が受信し（Ｓ１７）、コンテンツ情報記憶部３３が記憶しているコンテンツ情報に基づいて、コンテンツ選択メニューを生成し、コンテンツ選択部３２がコンテンツ選択メニューを送信する（Ｓ１８）。
【００９１】
携帯端末Ｔ１は、上記コンテンツ選択メニューを受信し（Ｓ１９）、携帯端末Ｔ１を操作する可視聴者Ｕ２が、携帯端末Ｔ１を介して、リクエストするコンテンツを選択する（Ｓ２０）。
【００９２】
携帯端末受付装置３０は、携帯端末Ｔ１を介して選択されたコンテンツ名を受信し（Ｓ２１）、Ｓ１７で受信したバーコード生成時刻と、コンテンツを出力する出力場所とを、コンテンツ制御装置２０ａへ送信する（Ｓ２２）。
【００９３】
コンテンツ制御装置２０ａは、選択されたコンテンツ名と、バーコード生成時刻と、コンテンツを出力する出力場所とを受信する（Ｓ２３）。そして、バーコード生成時刻と現在の時刻とを比較する。コンテンツ制御装置２０ａは、この差の時間が、予め設定された時間内であると判断すると、そのリクエストが有効であると認識する（Ｓ２４）。これによって、可視聴者Ｕ２が、上記現在の時刻に出力場所の前にいることが保証される。
【００９４】
そして、コンテンツ制御装置２０ａが、可視聴者Ｕ２がリクエストしたコンテンツを、指定された出力場所に出力する。
【００９５】
実施例２において、実施例１と同様に、他に可視聴者がいなければ、ディスプレイ６０全体を使ってコンテンツを表示するようにしてもよく、他に可視聴者がいれば、当該可視聴者Ｕ２の目の前の領域にだけ表示するようにしてもよい。
【００９６】
実施例２によれば、可視聴者Ｕ２は、現在表示されているコンテンツに対応するバーコードを読み取り、この読み取ったバーコードを入力することによってリクエストするので、リクエストしたコンテンツを、適切な場所に表示することができる。
【００９７】
つまり、実施例２は、バーコード生成時刻情報とコンテンツ出力場所とを含むアドレス情報表示画像を出力するアドレス情報表示画像出力手段と、携帯端末を介して、可視聴者から、上記アドレス情報表示画像とコンテンツ名とを受信する受信手段と、上記受信手段が受信したコンテンツ名に対応するコンテンツを、ディスプレイに表示させるディスプレイ制御手段とを有する情報出力システムの例である。
【００９８】
これによって、リクエストした可視聴者がディスプレイの前にいるときにだけ、可視聴者がリクエストしたコンテンツを表示することができる。
【００９９】
なお、上記アドレス情報表示画像は、バーコードである。
【０１００】
また、上記実施例をプログラムの発明として把握することができる。つまり、上記実施例は、携帯端末を介して、可視聴者から、コンテンツ表示のリクエストを受信し、記憶装置に記憶するリクエスト受信手順と、上記リクエスト受信手順で受信したリクエストに対応する情報であって、所定の振る舞いを上記可視聴者に指示する振る舞い指示情報を、上記携帯端末に送信する振る舞い指示情報送信手順と、上記可視聴者による振る舞いを撮影し、記憶装置に記憶する振る舞い撮影手順と、上記振る舞い撮影手順が撮影した映像を解析し、記憶装置に記憶する映像解析手順と、上記映像解析手順が解析した振る舞いと、上記振る舞い指示情報が示す振る舞いとを比較し、記憶装置に記憶する振る舞い比較手順と、上記振る舞い比較手順が比較した結果に対応するコンテンツを、ディスプレイに表示させるディスプレイ制御手順とをコンピュータに実行させるプログラムの例である。
【図面の簡単な説明】
【０１０１】
【図１】本発明の実施例１である情報出力システム１００の構成を示すブロック図である。
【図２】コンテンツ制御装置２０の構成例とともに、携帯端末受付装置３０とコンテンツ配信装置４０とカメラ５１とディスプレイ６０とを示すブロック図である。
【図３】携帯端末受付装置３０の構成を示すブロック図である。
【図４】情報出力システム１００におけるディスプレイ６０が出力する動作についての説明図である。
【図５】実施例１において、携帯端末Ｔ１が、携帯端末受付装置３０にアクセスした場合に、携帯端末Ｔ１が表示する画面の例を示す図である。
【図６】情報出力システム１００において、コンテンツ表示リクエスト動作を示すシーケンス図である。
【図７】本発明の実施例２である情報出力システム２００の構成を示すブロック図である。
【図８】実施例２である情報出力システム２００におけるディスプレイ６０に出力する動作を説明する図である。
【図９】情報出力システム２００が関連情報を配信する動作を示すシーケンス図である。
【図１０】従来の情報出力システムにおけるディスプレイ９０を示す図である。
【図１１】従来の情報出力システムにおける別のディスプレイ９０ａを示す図である。
【符号の説明】
【０１０２】
１００…情報出力システム、
Ｔ１…携帯端末、
２０…コンテンツ制御装置、
２１…映像解析部、
２２…判別部、
２３…スクリプト記憶部、
２４…スクリプト実行部、
２５…コンテンツ記憶部、
２６…コンテンツ出力部、
２７…携帯端末受付部、
３０…携帯端末受付装置、
３１…アクセス要求受信部、
３２…コンテンツ選択部、
３３…コンテンツ情報記憶部、
３４…振る舞い指示情報送信部、
４０…コンテンツ配信装置、
５１、５２…カメラ、
６０…ディスプレイ、
２００…情報出力システム、
２２ａ…判別部、
２６ａ…コンテンツ出力部、
２８ａ…バーコード生成部。
【図１】
0004632362.tif 000002
【図２】
0004632362.tif 000003
【図３】
0004632362.tif 000004
【図４】
0004632362.tif 000005
【図５】
0004632362.tif 000006
【図６】
0004632362.tif 000007
【図７】
0004632362.tif 000008
【図８】
0004632362.tif 000009
【図９】
0004632362.tif 000010
【図１０】
0004632362.tif 000011
【図１１】
0004632362.tif 000012